(57)【特許請求の範囲】
【請求項１】
画像データに関する処理が関連付けられ選択されることで関連付けられた当該処理が開始される処理選択部を表示する表示手段と、
前記表示手段に表示される前記処理選択部として新たな処理選択部を作成する場合に、文字の入力を受け付ける受付手段と、
前記新たな処理選択部と前記受付手段が受け付けた前記文字とを関連付けて登録する登録手段と、
前記表示手段に表示される前記新たな処理選択部が選択された場合に、前記登録手段により当該新たな処理選択部に関連付けて登録された前記文字のうち当該新たな処理選択部として表示されてない文字を含めて当該表示手段に表示させた後、当該新たな処理選択部に関連付けられた処理を実行する指示を受け付けてから、当該処理を開始する開始手段と
を含む処理装置。
【請求項２】
前記新たな処理選択部を作成する場合に、他の文字を設定する設定手段をさらに含み、
前記登録手段は、前記新たな処理選択部と、前記受付手段が受け付けた前記文字と、前記設定手段が設定した前記他の文字とを対応付けて登録することを特徴とする請求項１記載の処理装置。
【請求項３】
画像データに関する処理が関連付けられ選択されることで関連付けられた当該処理が開始される処理選択部を表示する表示手段と、
前記表示手段に表示される前記処理選択部として新たな処理選択部を作成する場合に、文字の入力を受け付ける受付手段と、
前記新たな処理選択部を作成する場合に、他の文字を設定する設定手段と、
前記新たな処理選択部と前記受付手段が受け付けた前記文字と前記設定手段が設定した前記他の文字とを関連付けて登録する登録手段とを含み、
前記受付手段は、前記設定手段が設定した前記他の文字の修正を禁止することを特徴とする処理装置。
【請求項４】
画像データに関する処理が関連付けられ選択されることで関連付けられた当該処理が開始される処理選択部を表示する表示手段と、
前記表示手段に表示される前記処理選択部として新たな処理選択部を作成する場合に、文字の入力を受け付ける受付手段と、
前記新たな処理選択部と前記受付手段が受け付けた前記文字とを関連付けて登録する登録手段と、
前記受付手段が受け付けた前記文字に誤りがあるか否かを判断する判断手段とを含み、
前記受付手段は、前記判断手段が前記文字に誤りがあると判断した場合に、当該文字の修正を受け付けること
を特徴とする処理装置。
【請求項５】
コンピュータに、
前記画像データに関する処理が関連付けられ選択されることで関連付けられた当該処理が開始される処理選択部を表示手段に表示させる機能と、
前記表示手段に表示させる前記処理選択部として新たな処理選択部を作成する場合に、文字の入力を受け付ける機能と、
前記新たな処理選択部と受け付けた前記文字とを関連付けて登録する機能と、
前記表示手段に表示させた前記新たな処理選択部が選択された場合に、当該新たな処理選択部に関連付けて登録された前記文字のうち当該新たな処理選択部として表示されてない文字を含めて当該表示手段に表示させた後、当該新たな処理選択部に関連付けられた処理を実行する指示を受け付けてから、当該処理を開始させる機能と
を実現させるプログラム。
【発明の詳細な説明】
【技術分野】
【０００１】
本発明は、処理装置およびプログラムに関する。
【背景技術】
【０００２】
公報記載の従来技術として、塗りつぶしや変倍などの各種設定パラメータを設定した状態でコピーを実行する複雑コピーで使用する各種設定パラメータを、複写機に設けられた起動ボタンに対応付けるとともに、起動ボタンと各種設定パラメータとの対応付けを複写機に内蔵されるメモリに記憶させておき、この起動ボタンが押下された場合に、メモリから起動ボタンに対応付けられた各種設定パラメータを読み出すことで、ワンタッチ操作にて複雑コピーを実行させるものが存在する（特許文献１参照）。
【先行技術文献】
【特許文献】
【０００３】
【特許文献１】特開２００７−１６６０１６号公報
【発明の概要】
【発明が解決しようとする課題】
【０００４】
本発明は、処理を行うための処理選択部を新たに作成する場合に、当該処理選択部に関連する情報を、登録することを可能とすることを目的とする。
【課題を解決するための手段】
【０００５】
請求項１記載の発明は、画像データに関する処理が関連付けられ選択されることで関連付けられた当該処理が開始される処理選択部を表示する表示手段と、前記表示手段に表示される前記処理選択部として新たな処理選択部を作成する場合に、文字の入力を受け付ける受付手段と、前記新たな処理選択部と前記受付手段が受け付けた前記文字とを関連付けて登録する登録手段と、前記表示手段に表示される前記新たな処理選択部が選択された場合に、前記登録手段により当該新たな処理選択部に関連付けて登録された前記文字のうち当該新たな処理選択部として表示されてない文字を含めて当該表示手段に表示させた後、当該新たな処理選択部に関連付けられた処理を実行する指示を受け付けてから、当該処理を開始する開始手段とを含む処理装置である。
請求項２記載の発明は、前記新たな処理選択部を作成する場合に、他の文字を設定する設定手段をさらに含み、前記登録手段は、前記新たな処理選択部と、前記受付手段が受け付けた前記文字と、前記設定手段が設定した前記他の文字とを対応付けて登録することを特徴とする請求項１記載の処理装置である。
請求項３記載の発明は、画像データに関する処理が関連付けられ選択されることで関連付けられた当該処理が開始される処理選択部を表示する表示手段と、前記表示手段に表示される前記処理選択部として新たな処理選択部を作成する場合に、文字の入力を受け付ける受付手段と、前記新たな処理選択部を作成する場合に、他の文字を設定する設定手段と、前記新たな処理選択部と前記受付手段が受け付けた前記文字と前記設定手段が設定した前記他の文字とを関連付けて登録する登録手段とを含み、前記受付手段は、前記設定手段が設定した前記他の文字の修正を禁止することを特徴とする処理装置である。
請求項４記載の発明は、画像データに関する処理が関連付けられ選択されることで関連付けられた当該処理が開始される処理選択部を表示する表示手段と、前記表示手段に表示される前記処理選択部として新たな処理選択部を作成する場合に、文字の入力を受け付ける受付手段と、前記新たな処理選択部と前記受付手段が受け付けた前記文字とを関連付けて登録する登録手段と、前記受付手段が受け付けた前記文字に誤りがあるか否かを判断する判断手段とを含み、前記受付手段は、前記判断手段が前記文字に誤りがあると判断した場合に、当該文字の修正を受け付けることを特徴とする処理装置である。
請求項５記載の発明は、コンピュータに、画像データに関する処理が関連付けられ選択されることで関連付けられた当該処理が開始される処理選択部を表示手段に表示させる機能と、前記表示手段に表示させる前記処理選択部として新たな処理選択部を作成する場合に、文字の入力を受け付ける機能と、前記新たな処理選択部と受け付けた前記文字とを関連付けて登録する機能と、前記表示手段に表示させた前記新たな処理選択部が選択された場合に、当該新たな処理選択部に関連付けて登録された前記文字のうち当該新たな処理選択部として表示されてない文字を含めて当該表示手段に表示させた後、当該新たな処理選択部に関連付けられた処理を実行する指示を受け付けてから、当該処理を開始させる機能とを実現させるプログラムである。
【発明の効果】
【０００６】
請求項１記載の発明によれば、本構成を有していない場合と比較して、処理を行うための処理選択部を新たに作成する場合に、新たな処理選択部に関連する情報を登録することを可能とすること、および、新たな処理選択部が選択された場合に、ユーザが意図していない処理が開始されるのを抑制することができる。
請求項２記載の発明によれば、本構成を有していない場合と比較して、作成した新たな処理選択部に関連する他の情報を、ユーザに提示することを可能とすることができる。
請求項３記載の発明によれば、本構成を有していない場合と比較して、誤った情報が登録されるのを抑制することができる。
請求項４記載の発明によれば、本構成を有していない場合と比較して、誤った情報が登録されるのを抑制することができる。
請求項５記載の発明によれば、本構成を有していない場合と比較して、処理を行うための処理選択部を新たに作成する場合に、新たな処理選択部に関連する情報を登録することを可能とすること、および、新たな処理選択部が選択された場合に、ユーザが意図していない処理が開始されるのを抑制することができる。
【図面の簡単な説明】
【０００７】
【図１】本発明の実施形態に係る画像形成装置のハードウェア構成を例示したブロック図である。
【図２】表示部における表示例を示した図である。
【図３】図２にて示した「コピー」の選択用ボタンがユーザにより選択された後の表示画面を示した図である。
【図４】表示部における表示例を示した図である。
【図５】図２にて示したホーム画面上の「ボックス保存」が選択された際の表示画面を示した図である。
【図６】第２タブが選択された際の表示画面を示した図である。
【図７】「個人プリント」が選択された後の表示画面を示した図である。
【図８】ファイルが選択された後の表示画面を示した図である。
【図９】ワンタッチ選択用ボタンをユーザが作成する際の表示画面を示した図である。
【図１０】ワンタッチ選択用ボタンの一覧を示した図である。
【図１１】選択用ボタンを作成する際に、制御部により実行される処理について示したフローチャートである。
【図１２】ステップ１０３において表示部に表示されるデフォルト状態の表示画面を示した図である。
【図１３】ステップ１０４においてユーザによる設定を受け付けることにより表示部に表示される表示画面を示した図である。
【図１４】確認画面を表示する選択用ボタンの作成処理が完了した後に表示部に表示される表示画面を示した図である。
【図１５】新たに作成された確認画面を表示する選択用ボタンが選択された際に、制御部により実行される処理について示したフローチャートである。
【図１６】ステップ２０３において表示部に表示される表示画面を示した図である。
【発明を実施するための形態】
【０００８】
以下、添付図面を参照して、本発明の実施の形態について説明する。
図１は、本発明の実施形態に係る画像形成装置１０のハードウェア構成を例示したブロック図である。本実施形態の画像形成装置１０には、制御部１００、記憶部１０５、表示部１０７、画像読取部１０８、画像形成部１０９、通信部１１０、画像処理部１１１が設けられている。なお、これらの各機能部は、バス１０１に接続されており、このバス１０１を介してデータの授受を行う。
【０００９】
制御部１００は、画像形成装置１０に設けられた上記各機能部の制御を行う。ここで、制御部１００は、ＣＰＵ（Central Processing Unit）１０２、ＲＯＭ（Read Only Memory）１０３、ＲＡＭ（Random Access Memory）１０４により構成されている。
ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、画像形成装置１０の各機能部が制御される。これにより、例えば、表示部１０７に予め定められた表示がなされ、また、用紙への画像形成が行われる。また、画像読取部１０８にセットされた原稿の読み取りなどが行われる。
【００１０】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、インターネットなどの通信手段を用いて画像形成装置１０にダウンロードさせてもよい。
【００１１】
表示部１０７は、例えば液晶のタッチパネルディスプレイにより構成され、制御部１００の制御の下、例えば画像形成装置１０に関するデータを表示する。また、表示部１０７は、ユーザからの操作を受け付けるための表示画面を表示し、この表示画面を介し、ユーザからの操作を受け付ける。
画像読取部１０８は、文書を読み取り読み取った文書の画像を表す画像データを生成する画像読取装置（スキャナ装置）を備えており、生成した画像データを画像処理部１１１へ出力する。
【００１２】
画像形成部１０９は、電子写真方式等によって記録媒体である例えば用紙に対して画像データに応じたトナー像を形成する画像形成機構を備えている。
通信部１１０は、不図示の通信回線に接続されており、通信回線に接続されている他の装置と通信を行う通信インターフェースとして機能する。
画像処理部１１１は、入力される画像データに色補正や階調補正等の画像処理を施すものであり、画像処理が施された画像データを生成して画像形成部１０９へ出力する。
記憶部１０５は、ハードディスク装置などの記憶装置を具備しており、例えば通信部１１０で受信したデータや画像形成装置１０で生成されたデータを記憶する。
【００１３】
図２は、表示部１０７における表示例を示した図である。
表示部１０７には、通常、同図に示すホーム画面が表示されている。このホーム画面には、複数の選択用ボタン（アイコン）２１が表示されており、この選択用ボタン２１の何れかがユーザにより選択（押圧）されることで、選択用ボタン２１に関連付けられている機能が実行される。
【００１４】
具体的には、図２に示す例では、選択用ボタン２１として、「コピー」、「ボックス保存」、「ＩＤカードコピー」、「メディアアクセス」、「メール」、「プリント」、「ＰＣ保存」、「ファックス」の何れかを選択するための選択用ボタン２１が表示されている。そして、本実施形態では、この選択用ボタン２１の何れかがユーザにより選択されると、詳細な設定を行うための画面が更に表示される。その後、スタートボタン等の予め定められたボタンがユーザにより押圧されることで、コピーなどの処理が開始される。
【００１５】
なお、本実施形態のホーム画面は、複数のページにより構成されており、図２にて示す表示画面のうちの「地」の部分（背景の部分）を指で押しながら、この「地」の部分を図中左方向に押し出すことで、他のページに切り替わるようになっている。付言すると、本実施形態では、いわゆるフリック操作によって、ページの切り替えを行えるようになっている。なお、ページの切り替えが行われると、他の選択用ボタン２１が現れるようになる。
【００１６】
また、本実施形態の表示部１０７では、選択用ボタン２１の各々を、操作によって移動できるようになっている。具体的には、選択用ボタン２１を指で押した状態で、この指を移動させることで、選択用ボタン２１を移動させることができるようになっている。付言すると、本実施形態では、ドラッグアンドドロップによって、選択用ボタン２１の移動が行われるようになっている。
【００１７】
また、本実施形態では、選択用ボタン２１を予め定められた時間押し続け、あるいは、選択用ボタン２１の何れかが選択されている状態にて、画面の右上に位置する歯車状の記号（符号２Ａで示す記号）を押すと、画面が切り替わり、この選択用ボタン２１に関連づけられている機能の詳細な設定を行えるようになる。
【００１８】
図３は、図２にて示した「コピー」の選択用ボタン２１がユーザにより選択（押圧）された後の表示画面を示した図である。
この表示画面では、符号３Ａ、３Ｂで示すように、２つのタブ（以下、「第１タブ３Ａ」、「第２タブ３Ｂ」と称する）が設けられた構成となっている。このようにタブが２つだけであると、いずれかのタブにはユーザが必要とするボタン（操作しようとするボタン）が存在することになる。すると、一度タブを移動すれば必ず必要とするボタンが存在することとなり、タブが４つ、５つなど３つ以上ある場合に比べ、ユーザは、必要とするボタン（操作しようとするボタン）が存在するタブを選択するまでのタブの移動の回数を減らすことができる。
付言すると、タブが数多くあると、どのタブにどの機能が入っているかを把握しづらくなるが、本実施形態のようにタブが２つだけであると、どのタブにどの機能が入っているかを把握しやすくなる。
【００１９】
ここで、第１タブ３Ａが選択されている状態では、図３に示すように、「両面／片面/製本」、「コピー部数」、「Ｎアップ数（１ページへの集約ページ数）」、「倍率」、「カラーモード」、「用紙選択」、「ホチキス」などの設定項目が表示される。付言すると、本実施形態では、第１タブ３Ａが選択されている際の表示画面では、ユーザによって変更される頻度が相対的に高いと思われる設定項目が表示されるようになっている。
【００２０】
一方で、本実施形態では、変更される頻度が相対的に低いと思われる設定項目については、図４（表示部１０７における表示例を示した図）に示すように、第２タブ３Ｂが選択された際の表示画面にて表示を行う。
ここで、この図４に示す表示画面では、各設定項目（ユーザが設定を行う各項目）が、画面の縦方向に並べられて表示されている。付言すると、リスト形式で表示されている。なお、この図４に示す表示画面では、図中下方向にスクロールすることで、隠れている設定項目も表示されるようになる。
【００２１】
ここで、第２タブ３Ｂが選択された際の表示画面では、一つの方向（図中、下方向）に、スクロールすることで他の設定項目も表示される。これにより、ユーザは、自身が探している設定項目を見つけやすくなる。
ここで、例えば、各設定項目をボタン形式で表示するとともに格子状に並べて配置することも考えられるが、この場合、ユーザは、視線を上下方向のみならず左右方向に移動させる必要が生じる。かかる場合、本実施形態のように一方向にスクロールさせて設定項目を表示する場合に比べ、ユーザは探している設定項目を見つけにくくなる。
【００２２】
図５は、図２にて示したホーム画面上の「ボックス保存」が選択された際の表示画面を示した図である。
ホーム画面上の「ボックス保存」が選択されると、図５に示すように、ユーザ名が付された選択用ボタン２１が複数表示された表示画面に切り替わる。この表示画面では、上記と同様、２つのタブ（以下、「第１タブ５Ａ」、「第２タブ５Ｂ」と称する）が設けられた構成となっている。
【００２３】
なお、図５では、第１タブ５Ａが選択されている状態を示している。また、本実施形態では、「ボックス保存」が選択されて表示画面が切り替わると、まず、第１タブ５Ａが表示されるようになっている。そして、本実施形態では、ユーザにより別途第２タブ５Ｂが選択されることで、第２タブ５Ｂに対応した表示画面が表示される。
【００２４】
ここで、ボックス保存とは、画像読取部１０８（図１参照）を用いて原稿を読み取ることにより生成された画像データを、記憶部１０５に保存する処理をいう。この際、図５にて示されている選択用ボタン２１の何れかがユーザにより選択されることで、保存先が指定され、この保存先に画像データが格納される。
なお、この保存先の選択がなされるまでは、図５にて表示されている各選択用ボタン２１は何れもオフ状態（「地」の色と略同じ色）となっており、保存先の選択がなされると、他の色に切り替わりオン状態となる（選択された状態となる）。
【００２５】
また、図５に示す表示画面では、画面の最下部に、ユーザによって変更される頻度の高い設定項目（「カラーモード」、「原稿の送りモード」、「読み取り解像度」）を表示しており、これらの設定項目については、画面の切り替えを行わずに（第２タブ５Ｂを選択せずに）、その内容を変更できるようになっている。
【００２６】
図６は、第２タブ５Ｂが選択された際の表示画面を示した図である。
図６（Ａ）に示すように、第２タブ５Ｂが選択された場合には、ボックス保存に際して設定可能な他の設定項目が表示される。なお、この場合も、上記と同様の各々の設定項目はリスト形式で表示される。ここで、本実施形態では、画像読取部１０８にて読み取りを行う原稿毎に、ファイル名を付けられるようになっている。また、本実施形態では、図６（Ａ）における「ファイル名」の設定項目が選択されると、同図（Ｂ）に示すように、ファイル名入力用の表示画面が表示される。本実施形態では、この表示画面を介し、ユーザは、希望するファイル名を入力する。
【００２７】
次に、個人プリントについて説明する。
個人プリントでは、ユーザが有するＰＣ（Personal Computer）などにて生成された画像データが、画像形成装置１０に送信され、そして、画像形成装置１０の記憶部１０５（図１参照）に一旦記憶される。そして、ユーザが表示部１０７を介して開始指示を入力することで、用紙への画像形成が開始される。
個人プリントでは、ユーザが画像形成装置１０の傍にいる状態にて画像形成がなされるため、ユーザは、印刷物が印刷された直後にこの印刷物を取得できるようになる。かかる場合、このユーザ以外の他の者が、この印刷物を取得することが起きにくくなる。
【００２８】
ここで、個人プリントが行われる際には、図２にて示したホーム画面が操作され、「個人プリント」の選択用ボタン（図２では不図示）がユーザにより選択される。そして、この「個人プリント」の選択用ボタンが選択されると、図７（「個人プリント」が選択された後の表示画面を示した図）に示す表示画面に切り替わる。
【００２９】
ここで、図７にて示す、切り替え後の表示画面では、記憶部１０５に記録されている複数の画像データ（印刷ジョブ）のファイル名がリスト形式で表示される。付言すると、縦方向に並べられた状態で、ファイル名の各々が表示される。また、ファイル名の図中左横には、印刷後の用紙の状態を示すプレビュー画面が表示される。
【００３０】
ここで、図７にて示した複数のファイルのうちの一つが選択されると、図８（ファイルが選択された後の表示画面を示した図）に示す画面に切り替わる。ここで、この表示画面では、画面の下半分に、設定項目が表示される。具体的には、この例では、「プリント部数」、「カラーモード」、「両面印刷の有無」の３つの設定項目が表示される。
【００３１】
さらに、表示画面の右上にはファイル名が表示され、表示画面の左上には印刷後の用紙の状態を示すプレビュー画面が表示される。なお、本実施形態では、この図８に示す表示画面にて、上記３つの設定項目の各々を変更できるようになっているとともに、変更を行うと、この変更に応じて、プレビュー画面も変化する。すなわち、本実施形態では、設定項目の変更に応じて、プレビュー画面が動的に変化する。
【００３２】
ここで、本実施形態では、このように、ファイルがリスト形式で表示され、次いで、ユーザが印刷を希望するファイルを選択する。そして、この選ばれたファイルについて印刷がなされる。
【００３３】
なお、図示は省略するが、本実施形態では、「個人一括プリント」という選択用ボタン２１もホーム画面上に用意されており、この選択用ボタン２１が押圧されると、ワンタッチで（他の入力操作を行わずに）、未出力の蓄積文書が一括で印刷される。付言すると、本実施形態では、個人プリントに関し、「個人プリント（リスト表示）」、「個人一括プリント」の２種類の選択用ボタン２１が用意された形となっている。
【００３４】
ところで、本実施形態の画像形成装置１０では、既に用意されている選択用ボタン２１の他に、新たな選択用ボタン２１をユーザが作成できるようになっている。付言すると、本実施形態では、選択用ボタン２１の選択を１回行うことで（複数回の入力操作を行わずに１回の入力操作を行うことで）、処理が開始される選択用ボタン２１（以下、「ワンタッチ選択用ボタン２１」と称する）を作成できるようになっている。なお、上記「個人一括プリント」の選択用ボタン２１は、このワンタッチ選択用ボタン２１に該当する。
【００３５】
ここで、ワンタッチ選択用ボタン２１をユーザが作成する際には、図９（ワンタッチ選択用ボタン２１をユーザが作成する際の表示画面を示した図）の（Ａ）にて、図中右上に位置する歯車状の記号（符号９Ａで示す記号）がユーザにより押圧される。なお、図９（Ａ）に示す表示画面は、メール送信時の画面を表示している。付言すると、図９（Ａ）では、図２にて示す「メール」の選択用ボタン２１が選択されて表示画面が切り替わった後の状態を示している。
【００３６】
ここで、歯車状の上記記号が押圧されると、図９（Ｂ）に示す表示画面が表示される。ここで、この表示画面では、ワンタッチ選択用ボタン２１の作成にあたって必要となる情報がユーザにより入力される。具体的には、名前（１行目）、名前（２行目）がユーザにより入力される。ここで、本実施形態のワンタッチ選択用ボタン２１（作成後のワンタッチ選択用ボタン２１）では、名前が２段で表示される。「名前（１行目）」は、２段のうちの上段に表示される名前を示し、「名前（２行目）」は、２段のうちの下段に表示される名前を示している。
【００３７】
さらに、図９（Ｂ）に示す表示画面では、ワンタッチ選択用ボタン２１（アイコン）の図柄の変更が行われる際にユーザによって押圧されるボタン（符号９Ｂ参照）も表示される。このボタンがユーザにより押圧されると、図１０（ワンタッチ選択用ボタン２１の一覧を示した図）に示す画面が表示され、ユーザが、この画面から一つのワンタッチ選択用ボタン２１を選ぶことで、この一つのワンタッチ選択用ボタン２１が新たなワンタッチ選択用ボタン２１として登録される。また、本実施形態では、ユーザは、説明文を登録できるようになっており、説明文の登録を行いたいユーザは、表示画面（図９（Ｂ）にて示す表示画面）の下部に位置するボックス内に、説明文を入力する。
【００３８】
ここで、図９（Ｂ）に示す表示画面に対するユーザの入力が終了すると、図中右上に位置する「作成」というボタンがユーザにより押圧される。これにより、図９（Ｃ）に示す表示画面に表示が切り替わり、表示画面上に（ホーム画面上に）、「ワンタッチメール送信」というワンタッチ選択用ボタン２１が追加されるようになる。
【００３９】
なお、ここでは、ワンタッチ選択用ボタン２１を作成する際の処理を説明したが、本実施形態では、ユーザは、選択用ボタン２１を選択後、確認画面を表示させ、スタートボタンを入力することで処理を実行させる選択ボタン２１も作成できるようになっている。なお、ワンタッチ選択用ボタン２１と、通常の選択用ボタン２１とは、表示画面上で見分けることができるようになっており、ワンタッチ選択用ボタン２１には、図９（Ｃ）の符号９Ｅに示すように、菱形のマークが付加される。なお、本実施形態において、上記確認画面を表示させた後に処理を実行させるためのスタートボタンは、表示画面上ではなく、図示しない画像形成装置の他の箇所に配置させている。
【００４０】
なお、上記では、画像形成装置１０における表示処理について説明したが、この表示処理は、画像形成装置１０以外の装置（例えばタブレット端末などの装置）でも同様に行うことができる。
【００４１】
続いて、選択用ボタン２１（ワンタッチ選択用ボタン２１または確認画面を表示する選択用ボタン２１）を作成する場合の処理について、より詳細に説明する。
図１１は、選択用ボタン２１を作成する際に、制御部１００（図１参照）により実行される処理について示したフローチャートである。
この例では、ファックス送信機能に係る選択用ボタン２１を作成する場合を例に挙げて説明する。
【００４２】
図１１に示すように、新たに選択用ボタン２１の作成を行うに際して、制御部１００は、まずユーザから新たに作成する選択用ボタン２１に関連付ける機能（処理）についての入力を受け付ける（ステップ１０１）。
具体的には、新たに選択用ボタン２１を作成する際には、ユーザは、上述の図２に示したホーム画面にて、新たに作成する選択用ボタン２１に関連付ける機能を表す選択用ボタン２１を選択（押圧）する。この例では、ユーザは、まず上述の図２にて示したホーム画面にて、「ファックス」の選択用ボタン２１を選択する。
【００４３】
ホーム画面にて選択用ボタン２１が押された場合、制御部１００により、上述の図３〜図６に示したような、選択された機能についての設定を行う画面が、表示部１０７に表示される。
この例において、ユーザにより「ファックス」の選択用ボタン２１が選択された場合にも、制御部１００により、同様に、ファックス機能についての設定を行う画面が表示部１０７に表示される。ここでは詳細な説明は省略するが、ファックス機能についての設定を行う画面についても、図３および図４に示したコピー機能についての設定を行う画面や、図５および図６に示したボックス保存機能についての設定を行う画面と同様に、ユーザによって変更される頻度が高い設定項目が表示される第１タブと、全ての設定項目がリスト形式で表示される第２タブとが設けられた構成となっている。
【００４４】
そして、ユーザは、表示部１０７に表示された画面を用いて、新たに作成する選択用ボタン２１に関連付ける機能について、各項目の設定を行う。例えばコピー機能を選択した場合には、「両面／片面／製本」、「コピー部数」、「Ｎアップ数（１ページへの集約ページ数）」、「倍率」、「カラーモード」等の設定を行う。また、ボックス保存機能を選択した場合には、「カラーモード」、「原稿の送りモード」、「読み取り解像度」等の設定を行う。
さらに、ファックス機能を選択した場合には、「送信先」、「画質」、「倍率」等の設定を行う。なお、「送信先」については、一つの選択用ボタン２１を作成するに際して、１または複数の送信先を設定することが可能であるが、この例においては、ユーザにより１つの送信先が設定されたものとする。
【００４５】
続いて、制御部１００は、選択用ボタン２１の作成を開始するためのボタン（上述の図９（Ａ）にて符号９Ａで示した歯車状の記号；以下、作成開始ボタン９Ａと呼ぶ）がユーザにより選択されたか否かを判断する（ステップ１０２）。
なお、作成開始ボタン９Ａが選択されない場合（ステップ１０２でＮＯ）、制御部１００は、作成開始ボタン９Ａが選択されるまで待機する。
【００４６】
次いで、作成開始ボタン９Ａが選択されたと判断した場合（ステップ１０２でＹＥＳ）、制御部１００は、新たに作成する選択用ボタン２１の設定内容を確認し変更するための表示画面（以下、選択用ボタン作成画面または単に作成画面とよぶ）を表示部１０７に表示させる（ステップ１０３）。
具体的には、制御部１００は、ステップ１０１にてユーザにより入力された新たに作成する選択用ボタン２１に関連付ける機能や設定項目に対応する作成画面を、表示部１０７に表示させる。この例では、後述する図１２等に示すように、ステップ１０１にて選択されたファックス機能に対応する作成画面が表示部１０７に表示される。
【００４７】
続いて、制御部１００は、作成画面にて、新たに作成する選択用ボタン２１に関する設定内容の変更等の入力を受け付ける（ステップ１０４）。
なお、ステップ１０３にて表示部１０７に表示させる作成画面の詳細や、ステップ１０４にて作成画面を介して設定内容の変更等の入力を受け付けた場合の処理等については、後段にて詳細に説明する。
【００４８】
次に、制御部１００は、作成画面に表示され選択用ボタン２１の作成を完了するための作成完了ボタン３８（後述する図１２参照）が、ユーザにより選択されたか否かを判断する（ステップ１０５）。
なお、作成完了ボタン３８が選択されない場合（ステップ１０５でＮＯ）には、制御部１００は、作成完了ボタン３８が選択されるまで待機する。
【００４９】
作成完了ボタン３８が押されたと判断した場合（ステップ１０５でＹＥＳ）には、制御部１００は、ステップ１０４にて受け付けた各種設定のうち、ユーザによって入力された説明文の内容を確認し（ステップ１０６）、説明文の内容に誤情報が含まれているか否かを判断する（ステップ１０７）。なお、説明文および説明文における内容確認の詳細については後述する。
【００５０】
説明文の内容に誤情報が含まれていると判断した場合（ステップ１０７でＹＥＳ）には、制御部１００は、表示部１０７に、説明文の内容に問題があることをユーザに提示するためのエラーメッセージを表示させ（ステップ１０８）、ユーザに説明文の内容の修正を促すとともに、ステップ１０４に戻って処理を続行する。
【００５１】
一方、説明文の内容に誤情報が含まれていないと判断した場合（ステップ１０７でＮＯ）には、制御部１００は、ステップ１０１やステップ１０４にて入力を受け付けた情報を、作成する選択用ボタン２１に関連する情報として、記憶部１０５に記憶させる（ステップ１０９）。
以上より、選択用ボタン２１の作成が終了する。
なお、説明文の中に誤情報が含まれていないと判断した場合（ステップ１０７でＮＯ）、制御部１００は、表示部１０７の表示画面を上述したホーム画面（図２参照）に切り替える。そして、上述した工程にて作成した新たな選択用ボタン２１は、このホーム画面上に追加されるようになる（図９（Ｃ）、後述する図１４参照）。
【００５２】
続いて、選択用ボタン作成画面の詳細について説明する。
図１２は、上記ステップ１０３において表示部１０７に表示されるデフォルト状態の表示画面（選択用ボタン作成画面）を示した図である。
選択用ボタン作成画面には、ユーザが選択用ボタン２１の作成にあたって必要となる情報等をユーザが入力するためのボタンやボックス等が表示される。
図１２に示す選択用ボタン作成画面は、作成する選択用ボタン２１の名前を入力するための名前ボックス３１（１行目３１Ａ、２行目３１Ｂ）、作成する選択用ボタン２１の図柄（アイコン）を変更するためのアイコン変更ボタン３２（図９（Ｂ）にて符号９Ｂで示したボタンに対応する）、作成する選択用ボタン２１のアイコンに宛先を表示するか否かを選択するための宛先表示選択ボタン３３、作成する選択用ボタン２１をワンタッチ選択用ボタン２１とするか確認画面を表示する選択用ボタン２１とするかを選択するためのワンタッチ選択ボタン３４を有している。
さらに、選択用ボタン作成画面は、作成する選択用ボタン２１に関連付ける機能の種別を表示する種別表示部３５、作成する選択用ボタン２１に関する説明文を入力するための説明ボックス３６、作成する選択用ボタン２１がホーム画面に表示される際の状態を表示するプレビュー表示部３７、選択用ボタン２１の作成を完了するための作成完了ボタン３８を有している。
【００５３】
ここで、名前ボックス３１は、上述したように、選択用ボタン２１のアイコンとともに表示画面（ホーム画面）に表示する名前を入力するためのボックスであり、１行目３１Ａと２行目３１Ｂとの２つの行に分けられている。
本実施形態では、ステップ１０２にて作成開始ボタン９Ａを選択した際に制御部１００により表示部１０７に始めに表示されるデフォルト状態の名前ボックス３１には、ステップ１０１にて入力された機能に関連する名前が予め自動的に入力されている。この例では、ステップ１０１にて入力されたファックス機能に対応して、名前ボックス３１の１行目３１Ａに「ワンタッチ」と自動入力され、２行目３１Ｂに「ファックス送信」と自動入力されている。
【００５４】
本実施形態では、ユーザは、名前ボックス３１に入力された名前を変更することができる。具体的には、ユーザが名前ボックス３１（１行目３１Ａ、２行目３１Ｂ）を押圧すると、制御部１００により表示部１０７にキーボード画面（不図示）が表示される。ユーザは、表示されたキーボードを用いて、名前ボックス３１に任意の名前を入力することができる。このとき、ユーザは、制御部１００によって名前ボックス３１に自動入力された文字列を修正することができる。
【００５５】
アイコン変更ボタン３２は、作成する選択用ボタン２１のアイコンを変更する際に、ユーザにより選択されるボタンである。また、アイコン変更ボタン３２の図中左側には、現在設定されているアイコンが表示される。本実施形態では、表示部１０７に始めに表示されるデフォルト状態において、制御部１００により予め定められたアイコンが設定されており、アイコン変更ボタン３２の図中左側に表示されている。
【００５６】
アイコン変更ボタン３２がユーザにより選択されると、制御部１００により表示部１０７に、複数のアイコンが並んだアイコン選択画面（図１０参照）が表示される。そして、ユーザはこのアイコン選択画面の中からアイコンを選択することで、作成する選択用ボタン２１のアイコンを変更することができる。
【００５７】
宛先表示選択ボタン３３は、左右に移動させることが可能なつまみを有しており、このつまみを左右にスライドさせることで、「する」「しない」を選択することができるスライド式のボタンである。
なお、宛先表示選択ボタン３３は、例えば、ステップ１０１にて選択された機能が、画像形成装置１０（図１参照）の外部にデータを転送する機能（ファックス送信やメール送信など）を含む場合に表示される。
【００５８】
宛先表示選択ボタン３３にて「する」を選択した場合には、ホーム画面に表示される選択用ボタン２１のアイコンに、選択用ボタン２１に関連付けられた機能の宛先に関する情報が併せて表示される。
なお、本実施形態では、宛先表示選択ボタン３３は、表示部１０７に始めに表示されるデフォルト状態の作成画面において、「する」に設定されている。これにより、ユーザが宛先表示選択ボタン３３に対する操作を行わない場合には、選択用ボタン２１のアイコンに宛先が併せて表示されることになる。この結果、ユーザが作成画面において、「しない」と設定を変更しないかぎり、ユーザに宛先を通知するように設定されるため、デフォルト状態の作成画面において、「しない」に設定している場合に比べ、意図しない宛先にデータが送信される等の誤送信の発生を抑制できる。
【００５９】
ワンタッチ選択ボタン３４は、宛先表示選択ボタン３３と同様に、スライド式のボタンにより構成され、つまみを左右にスライドさせることで、「する」「しない」を選択することができる。
ここで、ワンタッチ選択ボタン３４にて「する」を選択した場合には、作成される選択用ボタン２１は、選択用ボタン２１の選択を１回行うだけで処理が開始される「ワンタッチ選択用ボタン２１」となる。この場合、上述したように、ホーム画面にて表示される選択用ボタン２１のアイコンに、菱形のマーク（符号９Ｅ、図９（Ｃ）参照）が付されることになる。
【００６０】
一方、ワンタッチ選択ボタン３４にて「しない」を選択した場合には、作成される選択用ボタン２１は、「確認画面を表示する選択用ボタン２１」となる。この場合には、ホーム画面にて表示される選択用ボタン２１のアイコンには、菱形のマーク（９Ｅ）は付されない。
なお、確認画面を表示する選択用ボタン２１は、ワンタッチ選択用ボタン２１とは異なり、１回の入力操作（ワンタッチ）を行うだけでは処理は開始されない選択用ボタン２１である。すなわち、ホーム画面にて確認画面を表示する選択用ボタン２１が選択された場合には、確認画面を表示する選択用ボタン２１に関連付けられた処理を実行する前に、表示部１０７に、確認画面を表示する選択用ボタン２１に関連付けられた機能の設定内容等を確認するための確認画面が表示される。そして、例えばユーザにより確認画面にて処理の実行が確定された場合に、処理が開始される。
【００６１】
ここで、本実施形態では、表示部１０７に始めに表示されるデフォルト状態の作成画面において、ワンタッチ選択ボタン３４は、「しない」に設定されている。これにより、ユーザがワンタッチ選択ボタン３４に対する操作を行わない場合には、作成される選択用ボタン２１は、「確認画面を表示する選択用ボタン２１」となる。この結果、ユーザが作成画面において「する」と変更しないかぎり、ワンタッチ選択用ボタン２１とはしないように設定されるため、デフォルト状態において「する」に設定している場合に比べ、意図せずに「ワンタッチ選択用ボタン２１」が作成されることが抑制され、ユーザが誤ってワンタッチ選択用ボタン２１を選択することによって意図しない処理が実行されるのを抑制できる。
【００６２】
種別表示部３５は、作成する選択用ボタン２１に関連付けられた機能の種別を表示する。なお、種別表示部３５に表示される内容は、ステップ１０１にて選択された機能に対応して制御部１００により設定されるものであり、ユーザは変更することができない。
上述したように、作成する選択用ボタン２１のアイコンや名前はユーザにより変更することが可能であるため、ユーザによって、選択用ボタン２１のアイコンや名前等が、選択した機能と関連しないものに変更される場合もある。この場合、機能選択をする際において機能と関連しないアイコンや名前等をみることによってユーザは選択用ボタン２１に関連付けされた機能を誤認する恐れがある。したがって、本実施形態では、このような不具合の発生を抑制するために、選択用ボタン２１に関連付けられた機能の種別を、種別表示部３５にて表示している。
【００６３】
図１２に示す例では、制御部１００によって種別表示部３５に、ステップ１０１にて選択されたファックス機能に対応する「ファックス送信」、および、ステップ１０４にて設定された送信先の件数に対応する「（送信先：１件）」の文字が表示されている。
【００６４】
説明ボックス３６は、作成する選択用ボタン２１に関する説明を入力するためのボックスである。ユーザは、説明ボックス３６に対して、任意の説明文を入力することができる。具体的には、ユーザが説明ボックス３６を押圧すると、制御部１００により表示部１０７にキーボード画面（不図示）が表示される。ユーザは、このキーボードを用いて、任意の説明文を入力することができる。そして、制御部１００は、キーボードを介して入力を受け付けた説明文を説明ボックス３６に表示する。
【００６５】
また、本実施形態では、例えばステップ１０１にて選択された機能やステップ１０４にて設定された項目等に応じて、制御部１００により、説明ボックス３６に説明文が自動的に入力され表示される。この例では、制御部１００により、ステップ１０１にてファックスの送信先として設定した電話番号が、説明ボックス３６内に自動的に入力され表示されている。このとき、制御部１００は、選択用ボタン２１に関連付けられた宛先に関する情報を記憶部１０５から読み出し、文字列として説明ボックス３６内に表示させる。そして、本実施形態では、説明ボックス３６に表示される説明文のうち、制御部１００によって自動的に入力された文字列については、ユーザによる修正および書き換えが禁止されている。
【００６６】
なお、メール送信に関する選択用ボタン２１の作成処理において、制御部１００は、説明ボックス３６に宛先となるメールアドレスを自動入力することができ、例えばコピーに関する選択用ボタン２１の作成処理において、制御部１００は、説明ボックス３６にコピーの部数を自動入力することができる。
【００６７】
また、制御部１００は、ユーザによって説明ボックス３６内に追記される文字列の中に、２つ以上連続する数字、ハイフン記号（−）あるいはアットマーク（＠）が存在しているか否かを監視している。これらの文字は、例えばファクシミリ送信あるいはメール送信の宛先として、配信の関連機能において使用される場合があるものである。ユーザによって手動入力された説明文の中にこれらの文字データが含まれている場合、制御部１００は、これらの文字データと記憶部１０５から読み出した宛先に関連する情報との照合を行い、両者が一致していない場合に、説明文の内容に誤情報が含まれているとの判断（ステップ１０７でＹＥＳ）を行う。この結果、後述する確認画面において、ユーザに対する誤った説明文の提示を抑制することができ、意図しない宛先にデータが送信される等の誤送信の発生を抑制できる。
【００６８】
プレビュー表示部３７は、作成する選択用ボタン２１がホーム画面においてどのように表示されるかについて、プレビューとして表示する部分である。具体的には、プレビュー表示部３７には、名前ボックス３１に手動入力されまたはデフォルトで自動入力された名前、およびアイコン変更ボタン３２により選択されまたはデフォルトで選択されたアイコンが制御部１００によって表示される。
また、宛先表示選択ボタン３３にて「する」が選択されている場合には、プレビュー表示部３７に表示されるアイコンの上方に、選択した機能の宛先に関する情報（宛先表示９Ｆ、後述する図１４参照）が表示される。さらに、ワンタッチ選択ボタン３４にて「する」が選択されている場合には、プレビュー表示部３７に表示されるアイコンの右下に、菱形のマーク（符号９Ｅ、図９（Ｃ）参照）が表示される。
【００６９】
ここで、本実施形態の制御部１００は、名前ボックス３１、アイコン変更ボタン３２、宛先表示選択ボタン３３およびワンタッチ選択ボタン３４にて設定される情報が変更された場合には、プレビュー表示部３７に表示されるプレビューに、変更内容をリアルタイムで反映させている。
これにより、選択用ボタン２１の作成を行うユーザが、現在どのような設定がなされているかを確認することが可能になり、例えば作成する選択用ボタン２１に意図しないアイコンや名前等を設定してしまうことを抑制できる。
【００７０】
作成完了ボタン３８は、上述したように、選択用ボタン２１の作成を完了させるためのボタンである。制御部１００は、ユーザにより作成完了ボタン３８が選択され且つ説明ボックス３６に記載される説明文の内容に誤情報がなかった場合に、選択された機能や設定項目を、記憶部１０５（図１参照）に記憶させる。
具体的には、制御部１００は、作成完了ボタン３８が選択され且つ説明ボックス３６に記載される説明文の内容に誤情報がなかった場合に、ステップ１０１にて選択された機能やこの機能について設定された設定項目の内容（ファックスの送信先や部数等）、ステップ１０４にて設定・変更された選択用ボタン２１の作成に当たって必要となる情報（名前、アイコン、説明文等）等を、作成する選択用ボタン２１と関連付けて記憶部１０５に記憶させる。
【００７１】
図１３は、上記ステップ１０４においてユーザによる設定を受け付けることにより表示部１０７に表示される表示画面（選択用ボタン作成画面）を示した図である。
この例では、図１２に示すデフォルト状態において名前ボックス３１の１行目３１Ａに自動入力されていた「ワンタッチ」が、ユーザによって「○○さんに」へと書き換えられている。なお、名前ボックス３１の２行目は、デフォルト状態のままである。また、図１２に示すデフォルト状態において自動設定されていたアイコン（指を模したもの）が、ユーザによって他のアイコン（受話器を模したもの）に変更されている。さらに、説明ボックス３６には、図１２に示すデフォルト状態で自動入力されていた送信先の電話番号（０１２−３４５−６７８９）に加えて、ユーザにより、他の説明文（株式会社△△△）が追記されている。そして、プレビュー表示部３７には、上記変更および追記に伴って変更された、作成する選択用ボタン２１のプレビューが表示されている。
【００７２】
なお、本実施形態の画像形成装置１０（図１参照）では、記憶部１０５において、例えばステップ１０１にて選択される機能ごとに選択用ボタン２１作成画面を記憶している。そして、制御部１００は、ステップ１０２にて作成開始ボタン９Ａが選択された場合に、ステップ１０１にて選択された機能に対応する作成画面を記憶部１０５から読み出し、表示部１０７に表示させている。
【００７３】
また、図１２には、ファックス機能が選択された場合の作成画面を示したが、ファックス機能以外の他の機能が選択された場合の作成画面も、図１２に示した作成画面と基本的には同様の構成を有している。
すなわち、ファックス機能以外の他の機能についての作成画面も、図１２で示した例と同様に、名前ボックス３１、アイコン変更ボタン３２、ワンタッチ選択ボタン３４、種別表示部３５、説明ボックス３６、プレビュー表示部３７および作成完了ボタン３８を有している。
これに対し、宛先表示選択ボタン３３については、ファックス機能やメール送信機能等の、画像形成装置１０（図１参照）の外部へデータ等を転送する機能についての作成画面にのみ表示され、例えばコピー機能等のように転送機能を含まない機能の作成画面には表示されないようになっている。
【００７４】
図１４は、選択用ボタン２１の作成処理が完了した後に表示部１０７に表示される表示画面（ホーム画面）を示した図である。
なお、図１４には、図１３に示す選択用ボタン作成画面において、作成完了ボタン３８が選択された場合に表示されるホーム画面を示している。
【００７５】
上述した処理に伴い、ホーム画面には、新たに作成された、ファックス機能が関連付けられた選択用ボタン２１（○○さんにファックス送信）が追加されている。
【００７６】
また、図１４に示すように、本実施形態では、宛先表示選択ボタン３３が「する」に選択されたことに対応して、新たに作成された選択用ボタン２１のアイコンの上方に、宛先表示９Ｆが付与されて表示されている。
【００７７】
具体的には、制御部１００は、選択用ボタン２１の作成完了後ホーム画面を表示するに際して、記憶部１０５において選択用ボタン２１に関連付けられて記憶された情報（宛先表示選択ボタン３３の選択結果）に基づいて、選択用ボタン２１に宛先表示９Ｆを付与するか否かを判断する。
そして、宛先表示９Ｆを付与する場合には、制御部１００は、選択用ボタン２１に関連付けられた宛先に関する情報を記憶部１０５から読み出し、宛先表示９Ｆとして表示部１０７に表示させる。
この例において制御部１００は、宛先表示９Ｆとして、選択用ボタン２１に関連付けられたファックス機能の送信先である電話番号を記憶部１０５から読み出し、アイコンに付して表示部１０７に表示させている。
【００７８】
このように、選択用ボタン２１に関連付けられた機能が転送機能（ファックス送信、メール送信など）である場合に、選択用ボタン２１のアイコンに宛先表示９Ｆを付して表示することで、ユーザが選択用ボタン２１を見た場合に、宛先を確認できるようになっている。
この結果、ユーザが選択用ボタン２１に関連付けられた宛先を誤認して選択用ボタン２１を選択することが抑制され、ユーザが意図していない宛先に対してデータの転送が行われることが抑制される。
【００７９】
なお、図１４に示した例では、宛先表示９Ｆとしてファックスの送信先である電話番号を表示したが、これに限られない。例えば、宛先表示９Ｆとして、データの送信先である電話番号やメールアドレスをそのまま表示しても良く、また、記憶部１０５において送信先の電話番号やメールアドレスに対応して記憶される送信先の名称等を表示してもよい。
【００８０】
ところで、上述したように、ユーザにより作成された「ワンタッチ選択用ボタン２１」は、１回の入力操作を行うだけで、ワンタッチ選択用ボタン２１に関連付けられた機能（処理）が開始されるようになっている。すなわち、ホーム画面にて、ワンタッチ選択用ボタン２１がユーザにより選択された場合には、ファックスの送信先やコピーの部数等の設定項目の入力を行う入力画面や、これらの設定項目を確認する確認画面が表示されることなく、処理が開始される。
この場合、ユーザにとっては、機能の選択や設定項目の入力を行うことなく処理を実行することができるため、ユーザの手間を低減できる一方、以下のような問題がある。
【００８１】
すなわち、ホーム画面においてユーザが意図せずに誤ってワンタッチ選択用ボタン２１を選択してしまった場合には、ユーザが意図していない処理であっても、すぐに実行されてしまう。
この結果、例えば、ファックス送信機能やメール送信機能等の画像形成装置１０の外部へデータを転送する機能が関連付けられているワンタッチ選択用ボタン２１を、ユーザが誤って選択してしまった場合には、ユーザが意図していない宛先へデータが転送されてしまうおそれがある。
また、記録材（用紙）の大量消費を伴うような部数の多いコピー機能や、メモリの大量消費を伴うような解像度が高いスキャン機能等が関連付けられているワンタッチ選択用ボタン２１を、ユーザが誤って選択してしまった場合には、大量の記録材やメモリが無駄に消費されることになる。
【００８２】
図１５は、新たに作成された確認画面を表示する選択用ボタン２１が選択された際に、制御部１００（図１参照）により実行される処理について示したフローチャートである。また、図１６は、この処理の途中で、表示部１０７に表示される表示画面（確認画面）を示している。なお、以下の説明においては、ユーザによって作成された確認画面を表示する選択用ボタン２１を、「作成済通常選択用ボタン２１」と呼ぶことにする。
この例では、図１４に示した、ファックス機能に係る作成済通常選択用ボタン２１（○○さんにファックス送信）が選択される場合を例に挙げて説明を行う。
【００８３】
図１５に示すように、作成済通常選択用ボタン２１が選択されると（ステップ２０１）、制御部１００は、この作成済通常選択用ボタン２１に関連付けられた各種設定情報を、記憶部１０５から読み出す（ステップ２０２）。次に、制御部１００は、読み出した各種設定情報に基づき、説明文等を含むアプリケーションの確認画面を表示部１０７に表示させる（ステップ２０３）。
【００８４】
続いて、制御部１００は、ユーザにより、表示部１０７に設けられたスタートボタン（不図示）が選択されたか否かを判断する（ステップ２０４）。スタートボタンが選択されたと判断した場合（ステップ２０４においてＹＥＳ）には、制御部１００は、ステップ２０２で読み出した各種設定情報に基づく処理（アプリケーション）を実行する（ステップ２０５）。
【００８５】
一方、スタートボタンが選択されていないと判断した場合（ステップ２０４においてＮＯ）には、制御部１００は、ユーザにより、表示部１０７に表示された取り消しボタン４５（後述する図１６参照）が選択されたか否かを判断する（ステップ２０６）。取り消しボタン４５が選択されていないと判断した場合（ステップ２０６においてＮＯ）には、制御部１００は、ステップ２０４へと戻って処理を続行する。これに対し、取り消しボタンが選択されたと判断した場合（ステップ２０６においてＹＥＳ）には、制御部１００は、ステップ２０２で読み出した各種設定情報に基づく処理（アプリケーション）の実行を中止する（ステップ２０７）。
【００８６】
次に、確認画面の詳細について説明する。
図１６は、上記ステップ２０３において表示部１０７に表示される表示画面（確認画面）を示した図である。
確認画面には、ユーザが選択用ボタン２１に関連付けられた処理（アプリケーション）を画像形成装置１０に実行させるにあたって、事前に確認しておくべき事項を提示するためのボックス等が表示される。
図１６に示す確認画面は、選択用ボタン２１の作成において図１３に示す名前ボックス３１（１行目３１Ａおよび２行目３１Ｂ）に入力されていた文字列を提示する名前提示部４１、選択用ボタン２１に関連付けられた機能の種別を提示する種別提示部４２、選択用ボタン２１の作成において説明ボックス３６に入力されていた説明文を提示する説明文提示部４３、これら以外の機能（その他の機能）に関する提示の要求を受け付ける要求受付ボタン４４、処理の中止（取り消し）を受け付ける取り消しボタン４５を有している。
【００８７】
なお、この例において、確認画面の名前提示部４１には、「○○さんにファックス送信」が、種別提示部４２には「ファックス送信」、「送信先：１件」が、説明文提示部４３には、作成処理において制御部１００が自動入力した「０１２−３４５−６７８９」と、作成処理においてユーザが手動入力した「株式会社△△△」が、それぞれ表示されることになる。また、ユーザが要求受付ボタン４４を選択した場合には、選択用ボタン２１の作成処理においてユーザが設定した、「画質」や「倍率」等の情報が、例えばポップアップ画面等を用いて表示されることになる。
【００８８】
このように、本実施形態では、ユーザが作成した選択用ボタン２１が「作成済通常選択用ボタン２１」である場合には、１回の入力操作では、処理が開始されないようにしている。すなわち、ホーム画面にて、作成済通常選択用ボタン２１が選択された場合には、まず、選択された作成済通常選択用ボタンに関連付けられた機能についての確認画面が表示される。そして、ユーザがこの確認画面を表示させた状態で処理（アプリケーション）の実行を確定した場合（実行する指示を受けた場合）に、実際の処理が開始されることになる。
【００８９】
ここで、本実施の形態では、制御部１００が、取得手段、処理手段、受付手段、登録手段、設定手段および開始手段として機能しており、表示部１０７が、表示手段として機能している。また、図１２および図１３に示す作成画面において、ユーザによって説明ボックス３６に手動で入力される文字列が文字に、制御部１００によって説明ボックス３６に自動で入力される文字列が他の文字に、それぞれ対応している。さらに、表示部１０７においてホーム画面に表示される選択用ボタン２１が処理選択部に対応する。ここで、文字データは、例えばＪＩＳＸ０２１３などで定義されるものであって、英数字や日本語（ひらがな、カタカナ、漢字）以外に、各種記号や符号、さらには絵文字等を含んだものをいう。
【００９０】
以上説明したように、本実施形態では、選択用ボタン２１の作成処理において、作成する選択用ボタン２１に関連する処理に関する説明文を、ユーザにて手動入力させるようにした。また、作成された新たな選択用ボタン（作成済通常選択用ボタン）２１に、設定された機能と説明文を含む設定項目とを関連付けた状態で、記憶部１０５に記憶（登録）させるようにした。そして、作成済通常選択用ボタン２１が選択された際に表示させる確認画面に、ユーザによって手動で入力された説明文を表示させるようにした。これにより、ユーザは、作成済通常選択用ボタン２１に関連付けられた処理に対応する説明（手動入力した説明）を確認した後に、この処理の実行または中止を選択することが可能となる。それゆえ、ユーザが意図してない処理が開始されるのを抑制することが可能になる。
【００９１】
また、本実施形態では、確認画面に、ユーザの手動入力による説明文に加えて、制御部１００によって自動入力された説明文も表示させるようにし、自動入力された説明文についても、設定された機能と関連付けた状態で、記憶部１０５に記憶（登録）させるようにした。ここで、本実施形態では、自動入力される説明文として、宛先や部数などの情報を含めるようにした。これにより、ユーザが意図していない処理が開始されるのをさらに抑制することが可能になる。
【００９２】
さらに、本実施形態では、制御部１００によって自動入力された説明文については、ユーザによる修正（編集）を禁止するようにした。これにより、誤った情報が登録されるのを抑制することが可能となる。
【００９３】
さらにまた、本実施形態では、選択用ボタン２１の作成処理において、ユーザによって手動入力される説明文の内容をユーザによる設定情報と対比し、説明文の内容に誤情報が含まれているか否かを判断するようにした。そして、誤情報が含まれている場合には、ユーザに再入力（修正）を促すようにした。これにより、確認画面において、ユーザが誤った情報（説明文）に基づいて処理の実行または中止を判断することを抑制することができる。
【００９４】
なお、本実施形態では、説明ボックス３６に、制御部１００によって自動入力される文字とユーザによって手動入力される文字とを、同じ状態で表示していたが、これに限られるものではない。例えば、制御部１００によって自動入力される文字については白抜きとする一方、ユーザによって手動入力される文字については通常通りとしてもよいし、あるいは、制御部１００によって自動入力される文字とユーザによって手動入力される文字とで表示色（あるいはフォント）を変えるようにしてもよい。
【００９５】
また、本実施形態では、ファックス送信機能に係る選択用ボタン２１（確認画面を表示する選択用ボタン２１）を作成する場合を例として説明を行ったが、例えばコピー機能に係る選択用ボタン２１（確認画面を表示する選択用ボタン２１）を作成することも可能である。このようなコピー機能に係る、確認画面を表示する選択用ボタン２１は、例えばコピー部数が相対的に多い（例えば１０部以上など）コピー機能を設定する場合に有用である。
【００９６】
コピー機能に係る、確認画面を表示する選択用ボタン２１を作成する場合においては、例えば図１１のステップ１０３で表示部１０７に表示される作成画面の説明ボックス３６に、制御部１００により、ステップ１０１で設定したコピー部数を自動入力させるようにするとよい。そして、説明ボックス３６に自動入力されるコピー部数については、ユーザによる修正を禁止するとよい。また、ユーザによって説明ボックス３６に手動入力される文字列についても、例えば数字については手動入力自体を禁止するようにしたり、あるいは、数字に関する手動入力があった場合には、手動入力される数字とコピー部数とが相違する際に、ステップ１０７において誤情報であるとの判断を行うようにしたりしてもかまわない。
【００９７】
このようにして作成された、コピー機能に係る、確認画面を表示する選択用ボタン２１が、ホーム画面において選択された場合、制御部１００は、コピーに係る処理（アプリケーション）の実行を開始する前に、確認画面を表示させる。このとき、制御部１００は、この確認画面に、作成画面において説明ボックス３６に自動入力あるいは手動入力された文字列を表示させる。そして、そして、この確認画面を表示させた状態で、ユーザが処理（アプリケーション）の実行を確定した場合（不図示のスタートボタンが選択された場合）に、実際の処理を開始する。
【００９８】
このようにすることで、コピー機能に係る選択用ボタン２１（確認画面を表示する選択用ボタン２１）においても、ファックス送信機能に係る選択用ボタン２１（確認画面を表示する選択用ボタン２１）と同じく、ユーザの手動入力による説明文および制御部１００の自動入力による説明文を、作成する選択用ボタン２１に対応付けて登録することが可能になる。
【００９９】
また、ユーザは、確認画面を表示する選択用ボタン２１に関連付けられた処理に対応する説明（手動入力あるいは自動入力した説明）を確認した後に、この処理の実行または中止を選択することが可能となる。それゆえ、ユーザが意図してない処理が開始されるのを抑制することが可能になる。
【符号の説明】
【０１００】
１０…画像形成装置、２１…選択用ボタン、３２…アイコン変更ボタン、１００…制御部、１０５…記憶部、１０７…表示部
【要約】
【課題】処理を行うための処理選択部を新たに作成する場合に、当該処理選択部に関連する情報を、登録することを可能とする。
【解決手段】表示部１０７の表示画面に表示させる選択用ボタンを新たに作成する際、新たな選択用ボタンに関連付ける機能を設定するとともに、この新たな選択用ボタンに対応する設定項目の１つである説明文（株式会社△△△）が、説明ボックス３６を介して手動入力される。また、説明ボックス３６には、送信先の電話番号（０１２−３４５−６７８９）が説明文として自動入力されており、この部分については、手動による修正が禁止されている。そして、新たな選択用ボタンに関連付ける機能や設定項目（説明文の入力を含む）の設定が完了した後、作成完了ボタン３８が選択されることで、新たな選択用ボタンは、これら機能や設定項目と関連付けて、記憶部に登録される。
【選択図】図１３【図１】
0005494872.tif 000002
【図２】
0005494872.tif 000003
【図３】
0005494872.tif 000004
【図４】
0005494872.tif 000005
【図５】
0005494872.tif 000006
【図６】
0005494872.tif 000007
【図７】
0005494872.tif 000008
【図８】
0005494872.tif 000009
【図９】
0005494872.tif 000010
【図１０】
0005494872.tif 000011
【図１１】
0005494872.tif 000012
【図１２】
0005494872.tif 000013
【図１３】
0005494872.tif 000014
【図１４】
0005494872.tif 000015
【図１５】
0005494872.tif 000016
【図１６】
0005494872.tif 000017